【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
基地局装置であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージをユーザ装置に送信する送信部を備え、
適応エンティティが前記別のデータ無線ベアラに設定されており、
前記指示情報は前記別のデータ無線ベアラが第２のデータ無線ベアラと第３のデータ無線ベアラとのうちの何れであるかを示し、
前記drb-ToAddModListパラメータはpdcp-Configパラメータを含み、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記別のデータ無線ベアラが前記第２のデータ無線ベアラである場合であって無線リンク制御エンティティ及びDTCH論理チャネルが再構成される場合に、前記drb-ToAddModListパラメータがrlc-ConfigパラメータとlogicalChannelConfigパラメータを含み、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記特定の無線ベアラ用の前記pdcp-Configパラメータは、前記ユーザ装置によってパケットデータ収束プロトコルエンティティを再構成するのに使用され、
前記特定の無線ベアラ用の前記rlc-Configパラメータ及び前記logicalChannelConfigパラメータは、前記ユーザ装置によって前記無線リンク制御エンティティと前記DTCH論理チャネルとの前記再構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、基地局装置。
【請求項２】
ユーザ装置であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージを受信する受信部を備え、
適応エンティティが前記別のデータ無線ベアラに設定されており、
前記指示情報は前記別のデータ無線ベアラが第２のデータ無線ベアラと第３のデータ無線ベアラのうちの何れであるかを示し、
前記drb-ToAddModListパラメータに特定の無線ベアラ用のpdcp-Configパラメータが含まれている場合に、前記pdcp-Configパラメータに従ってパケットデータ収束プロトコルエンティティを再構成する再構成ユニットを備え、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記再構成ユニットは、前記別のデータ無線ベアラが前記第２のデータ無線ベアラである場合であって、前記drb-ToAddModListパラメータに特定の無線ベアラ用のrlc-Configパラメータと前記特定の無線ベアラ用のlogicalChannelConfigパラメータが含まれている場合に、前記rlc-Configパラメータと前記logicalChannelConfigパラメータとに従って、無線リンク制御エンティティとDTCH論理チャネルを再構成し、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、ユーザ装置。
【請求項３】
基地局装置によって実行される方法であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージをユーザ装置に送信し、
適応エンティティが前記別のデータ無線ベアラに設定されており、
前記指示情報は前記別のデータ無線ベアラが第２のデータ無線ベアラと第３のデータ無線ベアラとのうちの何れであるかを示し、
前記drb-ToAddModListパラメータはpdcp-Configパラメータを含み、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記別のデータ無線ベアラが前記第２のデータ無線ベアラである場合であって無線リンク制御エンティティ及びDTCH論理チャネルが再構成される場合に、前記drb-ToAddModListパラメータがrlc-ConfigパラメータとlogicalChannelConfigパラメータを含み、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記特定の無線ベアラ用の前記pdcp-Configパラメータは、前記ユーザ装置によってパケットデータ収束プロトコルエンティティを再構成するのに使用され、
前記特定の無線ベアラ用の前記rlc-Configパラメータ及び前記logicalChannelConfigパラメータは、前記ユーザ装置によって前記無線リンク制御エンティティと前記DTCH論理チャネルとの前記再構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、方法。
【請求項４】
ユーザ装置によって実行される方法であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージを受信し、
適応エンティティが前記別のデータ無線ベアラに設定されており、
前記指示情報は前記別のデータ無線ベアラが第２のデータ無線ベアラと第３のデータ無線ベアラのうちの何れであるかを示し、
前記drb-ToAddModListパラメータに特定の無線ベアラ用のpdcp-Configパラメータが含まれている場合に、前記pdcp-Configパラメータに従ってパケットデータ収束プロトコルエンティティを再構成し、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記別のデータ無線ベアラが前記第２のデータ無線ベアラである場合であって、前記drb-ToAddModListパラメータに特定の無線ベアラ用のrlc-Configパラメータと前記特定の無線ベアラ用のlogicalChannelConfigパラメータが含まれている場合に、前記rlc-Configパラメータと前記logicalChannelConfigパラメータとに従って、無線リンク制御エンティティとDTCH論理チャネルを再構成し、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、方法。